(57)【要約】      （修正有）【課題】電源を内蔵しない非接触式ＩＣカード機能を内蔵した携帯電話を紛失した時に、その非接触式ＩＣカードが不正に利用されない手段を提供する。【解決手段】非接触型ＩＣカード機能を内蔵した無線通信端末であって、前記非接触型ＩＣカード機能部の一部また全部を許可／禁止する動作禁止フラグ、前記非接触型ＩＣカード機能部にあって前記無線通信端末の電源のオンオフを検出する電源検出手段、前記電源検出手段がオフを検出している時または前記動作禁止フラグがオンである時は、前記非接触型ＩＣカード機能部の機能の一部あるいは全ての機能が動作しなくする動作制限手段、を持つことを特徴とした。また上記の解決手段の無線通信端末および無線通信システムにおいて、前記無線通信端末の利用者からの申請に基づき前記無線通信端末が利用できる無線通信網を通じて前記動作禁止フラグをオンオフに切替える切替え手段、を持つことを特徴とした。【選択図】図３
2006013659.tif 000002
【特許請求の範囲】
【請求項１】
非接触型ＩＣカード機能を内蔵した無線通信端末であって、前記非接触型ＩＣカード機能部の一部また全部を許可／禁止する動作禁止フラグ、前記非接触型ＩＣカード機能部にあって前記無線通信端末の電源のオンオフを検出する電源検出手段、前記電源検出手段がオフを検出している時または前記動作禁止フラグがオンである時は、前記非接触型ＩＣカード機能部の機能の一部あるいは全ての機能が動作しなくする動作制限手段、を持つことを特徴とした無線通信端末および無線通信システム
【請求項２】
請求項１の無線通信端末および無線通信システムにおいて、前記無線通信端末の利用者からの申請に基づき前記無線通信システムのサービス提供事業者が前記無線通信端末の利用できる無線通信網を通じて前記動作禁止フラグをオンオフに切替える切替え手段、を持つことを特徴とした無線通信端末および無線通信システム
【発明の詳細な説明】
【技術分野】
【０００１】
本発明は，非接触ＩＣカードを内蔵した携帯電話のデータ保護に関する。
【背景技術】
【０００２】
特開2003-319453においては、携帯電話のロック機能を用いて交換機からの遠隔操作で携帯電話の機能を制限する方法が開示されている。
【０００３】
一方、現在実用化され普及している非接触式ＩＣカードは電源を内蔵せず、リーダー／ライターから発信される電磁波から電源供給を受ける仕組みとなっている。したがって、特開2003-319453で述べられている携帯電話にこの非接触式ＩＣカード機能を内蔵させた場合、携帯電話の電源を切った状態では非接触式ＩＣカード機能は、リーダー／ライターを使って機能させることが可能となってしまう。
【発明の開示】
【発明が解決しようとする課題】
【０００４】
非接触式ＩＣカード機能を内蔵した携帯電話を紛失した時に、その非接触式ＩＣカードの機能が不正に利用されないための技術に関する。
【課題を解決するための手段】
【０００５】
第1の解決手段としては、非接触型ＩＣカード機能を内蔵した無線通信端末であって、前記非接触型ＩＣカード機能部の一部また全部を許可／禁止する動作禁止フラグ、前記非接触型ＩＣカード機能部にあって前記無線通信端末の電源のオンオフを検出する電源検出手段、前記電源検出手段がオフを検出している時または前記動作禁止フラグがオンである時は、前記非接触型ＩＣカード機能部の機能の一部あるいは全ての機能が動作しなくする動作制限手段、を持つことを特徴とした無線通信端末および無線通信システムを提供することで解決するものである。
【０００６】
第2の手段としては、上記第1の解決手段の無線通信端末および無線通信システムにおいて、前記無線通信端末の利用者からの申請に基づき前記無線通信端末が利用できる無線通信網を通じて前記動作禁止フラグをオンオフに切替える切替え手段、を持つことを特徴とした無線通信端末および無線通信システムを提供することで解決するものである。
【発明の効果】
【０００７】
携帯電話の通信機能を用いて携帯電話の機能を制限することができるが、電源を必要としない非接触式ＩＣカードやモジュールを携帯電話に内蔵させた場合、電源を切ってしまうとこの制限機能が動作せず、紛失時などに非接触式ＩＣカードやモジュール内のデータをアクセスされ、悪用される危険があったが、本発明によれば、こうした悪用を防止できると言う効果が得られる。
【発明を実施するための最良の形態】
【０００８】
第1の形態としては、非接触型ＩＣカード機能を内蔵した無線通信端末であって、前記非接触型ＩＣカード機能部の一部また全部を許可／禁止する動作禁止フラグ、前記非接触型ＩＣカード機能部にあって前記無線通信端末の電源のオンオフを検出する電源検出手段、前記電源検出手段がオフを検出している時または前記動作禁止フラグがオンである時は、前記非接触型ＩＣカード機能部の機能の一部あるいは全ての機能が動作しなくする動作制限手段、を持つことを特徴とした無線通信端末および無線通信システムを提供することで解決するものである。
【０００９】
第2の形態としては、上記第1の解決手段の無線通信端末および無線通信システムにおいて、前記無線通信端末の利用者からの申請に基づき前記無線通信端末が利用できる無線通信網を通じて前記動作禁止フラグをオンオフに切替える切替え手段、を持つことを特徴とした無線通信端末および無線通信システムを提供することで解決するものである。
【実施例１】
【００１０】
図1は現在普及している非接触式ＩＣカードとリーダー／ライターの一例である。１００は非接触式ＩＣカードであって、アンテナ１１０、ＩＣモジュール１２０、などで構成される。２００はリーダー／ライターであって、アンテナ２１０、コントロールボード２２０、などで構成される。
【００１１】
非接触式ＩＣカード１００には電源は含まれないが、リーダー／ライター２００にかざすと、アンテナ２１０から電磁波が輻射され、これを非接触式ＩＣカード１００側のアンテナ１１０で検波し電力に変換するとともに、この電磁波に変調されている信号を復調して、ＩＣモジュール１２０内のデータをコントロールボード２２０に読み込んだり、コントロールボード２２０内のデータをＩＣモジュール１２０に書き込んだりすることができる。
【００１２】
図２は本発明の実施例の一例である。３００は非接触式ＩＣカードからケース等の不要部分を除いた非接触式ＩＣモジュール、４００は携帯電話の制御装置でＣＰＵ、ＲＯＭ、ＲＡＭ、ＥＥＰＲＯＭ、Ｉ／Ｏ、送受信装置、キーボード、表示装置、などから構成されるが、既に公知の技術なので細部の図示は行なわない。
【００１３】
非接触式ＩＣモジュール３００と制御装置４００はインタフェース５００で接続されており、非接触式ＩＣモジュール３００は制御装置４００内部のバスにバッファ装置などを介して接続される構成であるか、制御装置４００内部のＩ／Ｏを介して接続される構成など、何らかの手段のインタフェースされていれば良い。また、非接触式ＩＣモジュール３００は制御装置４００を含む携帯電話（図示しない）に内蔵され一体化されている。
【００１４】
特開2003-319453等によって開示されている技術を使えば、利用者の申請によって、携帯電話のサービス提供事業者がその無線通信網を通じて、携帯電話内部のデータまたはフラグを書き換えることによって携帯電話の機能を制限することができる。
【００１５】
制御装置４００は同様の技術を使って、携帯電話の機能を制限するための制御装置内４００内のフラグが書き換えらた時に、インタフェース５００を通じて非接触式ＩＣモジュール３００内のメモリの一部に書き込まれる。
【００１６】
非接触式ＩＣモジュール３００は、制御装置４００の電源のオンオフを監視しており、この実現方法は、制御装置４００内でＩ／Ｏを通じて電源電圧を監視しインタフェース５００を介してビット情報として非接触式ＩＣモジュール３００に送信し非接触式ＩＣモジュール３００内部のメモリに蓄積する方法や、制御装置４００内の電源操作キーの状態を監視しインタフェース５００を介してビット情報として非接触式ＩＣモジュール３００に送信し非接触式ＩＣモジュール３００内部のメモリに蓄積する方法や、非接触式ＩＣモジュール３００自身に電源電圧を監視する機能を付加し実現する方法などが考えられるが、いずれもあっても良い。またこれらの技術は既知の技術で実現できるためここでは詳細な説明や図示を省略する。
【００１７】
図３は非接触式ＩＣモジュール３００の動作フローであり、これに基づいてまず通常時の動作を説明する。リーダー／ライター２００に非接触式ＩＣモジュール３００と一体化された携帯電話をかざすことによって、非接触式ＩＣモジュール３００の読み書き動作が始まる。通常時は、ＳＴＥＰ１の携帯電話電源の検出がオンであるためＳＴＥＰ２に進み、ＳＴＥＰ２で動作禁止フラグがオフであるので、通常の読み書き動作ＳＴＥＰ３が実行される。携帯電話の電源がオフであれば、ＳＴＥＰ１でnoに進み、非接触式ＩＣモジュール３００の読み書き動作は行なわれずに終了する。
【００１８】
次に、紛失時の動作を説明する。利用者がサービス事業者に申請することによって前述のように非接触式ＩＣモジュール３００内のメモリーの一部である動作禁止フラグがオンとなる。この状態で非接触式ＩＣモジュール３００と一体化された携帯電話をリーダー／ライター２００にかざすと、非接触式ＩＣモジュール３００の読み書き動作が始まるが、携帯電話の電源がオフであればＳＴＥＰ１でnoに進み、非接触式ＩＣモジュール３００内のデータの読み書きは行なわれない。携帯電話の電源をオンにすると、ＳＴＥＰ２で動作禁止フラグがオンであるためＹＥＳにすすみ同様に非接触式ＩＣモジュール３００内のデータの読み書きは行なわれない。すなわち、紛失した携帯電話を第３者が拾得し、不正に利用とした時、電源がオフのままでは使えないし、不正利用のために電源をオンにすると無線通信を通じて動作禁止フラグが書き換えられてそれ以降の読み書きが出来なくすることができる。
【００１９】
なお、上記の実施例で明白であるが、動作禁止フラグは、この携帯電話システムのサービス提供事業者が利用者からの申請に基づいて行うものであり、携帯電話に予め組み込まれたプログラムによって携帯電話の動作制限を実現するものである。このため、予め携帯電話に登録した電話番号やメールアドレスから動作禁止フラグをオンオフする方式と異なり、携帯電話に利用者が何ら設定をしなくても動作を禁止することができるものである。
【００２０】
上記の例ではリーダー／ライターからの読み書きを禁止する動作について述べたが、非接触式ＩＣモジュール３００内のデータを携帯電話の表示装置に表示することを禁じたり、携帯電話のほかの入出力装置への入出力を禁じたりすることも、上記実施例と同様に非接触式ＩＣモジュール３００の動作を制限することが可能となることは言うまでもない。
【００２１】
また、上記の例では図3のフローを使ってソフトウェア的に処理する例を述べたが、携帯電話の電源電圧をハードウェアで検出しその出力と、制御装置４００のＩ／Ｏを用いて動作禁止フラグがオンの時は出力が切り替わるハードウェア回路を構成し、これらを論理回路に接続して電源電圧のオフの時はアンテナのループをハードウェア的に切断する方法など、の構成で実現する方法を採用しても同様の効果が得られる。
【産業上の利用可能性】
【００２２】
非接触ＩＣカードを内蔵した携帯電話を紛失したときのデータ保護を利用者からの申請に基づいて携帯電話サービス提供事業者が行うもので、今後の携帯電話及び非接触ＩＣカードの発展が進むにつれ、個人情報の保護という観点からも不可欠の技術といえ、利用される可能性は非常に大きい。
【図面の簡単な説明】
【００２３】
【図１】非接触式ＩＣカードの一例
【図２】本発明の実施例
【図３】本発明による非接触式ＩＣカードの動作の一例
【符号の説明】
【００２４】
１００  ＩＣカード
１１０  アンテナ
１２０  ＩＣモジュール
２００  リーダー／ライター
２１０  アンテナ
２２０  コントロールボード
３００  非接触式ＩＣモジュール
４００  制御装置
５００  インタフェース
【図１】
2006013659.tif 000003
【図２】
2006013659.tif 000004
【図３】
2006013659.tif 000005